(57)【要約】本発明は、ユニットロード（１６）を、それを操作する間に、掴むためのデバイス（１０）に関する。上記デバイスは、該デバイスをユニットロードに固定するための固定部（１２）と、コンテナコーナの形で具体化される（操作手段を掴むための）グリッピング部（１４）と、ユニットロードに対して、若しくは、少なくともユニットロードに付属する部材に対して所定の様式で適合させられる少なくとも２つのグリッピングデバイスの組とを有している。本発明は、また、ユニットロード用の運搬車両に関する。運搬車両は、トーイング手段（４４）と、その運搬の間に、ユニットロードを介して互いに接続され、また、それらの対向する端部におけるユニットロード用の保持デバイス（４０）と、上記グリッピングデバイスの１組とを有するトレイラ（４２）とを有する。保持デバイスは、コンテナブラケットを有しており、該コンテナブラケットの配置は、ユニットロード、若しくは、少なくともユニットロードに付属する部材に対して適合させられる。上記部材は、ユニットロードに固定されるデバイスのコンテナコーナが、コンテナブラケットにより実現され得るように、適合させられるグリッピングデバイス（１０）を有している。
2004502600.tif 000002
【特許請求の範囲】
【請求項１】
ユニットロードを、それを操作する間に掴むためのデバイスであって、該デバイスを上記ユニットロードに対して取り付けるための取付け部と、操作手段を掴むためのグリッピング部とを有しているデバイスであって、
上記グリッピング部１４が、コンテナコーナ形式で形成されていることを特徴とするデバイス。
【請求項２】
上記取付け部（１２）が、所定のユニットロード（１６）の形状に適合していることを特徴とする請求項１記載のデバイス。
【請求項３】
上記取付け部（１２）が、ユニットロード（１６）上の所定のコネクタデバイスに適合させられる少なくとも１つの取付け機能部（２０）を有していることを特徴とする請求項１又は２に記載のデバイス。
【請求項４】
上記取付け部（１２）は、少なくとも２つの孔部（２０）を有し、また、直径及び該孔部の間隔を備えた取付け部（１２）は、孔部の所定パターンを有するユニットロード（１６）上の所定のフランジに適合させられるこ
とを特徴とする請求項３記載のデバイス。
【請求項５】
上記パターンが、環状体又は環状体の一部として形状付けられたフランジ上で、弧状に形状付けられていることを特徴とする請求項４記載のデバイス。
【請求項６】
小環（２６）が上記取付け部（１２）に配置されていることを特徴とする請求項１〜５のいずれか一に記載のデバイス。
【請求項７】
デバイス（１０）のうちの少なくとも２つが、上記ユニットロードに取り付けられるデバイス（１０）のうちの少なくとも２つのコンテナコーナが、それらの縁部が互いに平行になるべく方向付けられるように、ユニットロード若しくは少なくともユニットロードの一部に対して適合させられることを特徴とする請求項１〜６のいずれか一に記載のデバイスの組。
【請求項８】
デバイス（１０）のうちの少なくとも３つが、上記ユニットロードに取り付けられるデバイス（１０）のうちの少なくとも３つのコンテナコーナが、それらが一平面に位置するべく方向付けられるように、ユニットロード若しくは少なくともユニットロードの一部に対して適合させられることを特徴とする請求項１〜７のいずれか一に記載のデバイスの組。
【請求項９】
少なくとも３つのデバイス（１０）が、上記ユニットロードが上記平面を貫通しないように、ユニットロード又は少なくともユニッロードの一部に対して適合させられることを特徴とする請求項８記載のデバイスの組。
【請求項１０】
少なくとも３つのデバイス（１０）が、上記ユニットロードの重心が、一平面に位置するコンテナコーナにより規定される平面内にあるように、ユニットロード又は少なくともユニッロードの一部に対して適合させられることを特徴とする請求項８又は９に記載のデバイスの組。
【請求項１１】
上記デバイス（１０）のうちの少なくとも２つがストラット部材（３８）により相互接続されていることを特徴とする請求項７〜１０のいずれか一に記載のデバイスの組。
【請求項１２】
上記ストラット部材（３８）が、付加的な取付け機能部（１９）によって、デバイス（１０）に対して着脱可能に接続されることを特徴とする請求項１１記載のデバイスの組。
【請求項１３】
上記デバイス（１０）のうちの少なくとも２つが、上記ユニットロードに取り付けられるデバイス（１０）のコンテナコーナの位置が、コンテナ操作手段用の規格化された寸法の組に適合するように、ユニットロード若しくは少なくともユニットロードの一部に対して適合させられることを特徴とする請求項１〜１２のいずれか一に記載のデバイスの組。
【請求項１４】
２つのコンテナコーナとともにコンテナコーナにおけるグリップと適合させられ、それらの互いに対する位置がコンテナ操作手段用の規格化された寸法の組に適合する少なくとも２つのコネクタ素子（３４）が配置される支持台（３２）を備えた、少なくとも１つの付加的なアダプタ部により特徴付けられ、
また、上記２つのコネクタ素子の配置が、それに対して適合させられ取り付けられるデバイス（１０）のうちの少なくとも２つを含む、ユニットロード又は少なくともユニットロードの一部に対して適合させられる、ユニットロードに取り付けられるデバイス（１０）のうちのコンテナコーナが、２つのコネクタ素子により掴まれ得ることを特徴とする請求項１〜１３のいずれか一に記載のデバイスの組。
【請求項１５】
上記コネクタ素子（３４）の少なくとも１つが、上記支持手段（３２）に対して取外し可能に取り付けられていることを特徴とする請求項１４記載のデバイスの組。
【請求項１６】
上記デバイス（１０）のうちの少なくとも４つが、それぞれ、入り込んだくぼみ（２２）を有し、また、上記デバイス（１０）のうちの少なくとも４つが、上記ユニットロードに取り付けられるデバイス（１０）のくぼみが、該くぼみが互いに平行な２つの円筒形の自由空間を（アンダーカッティングなしに）支えるべく方向付けられるように、ユニットロード又は少なくともユニットロードの一部に対して適合させられることを特徴とする請求項１〜１５のいずれか一に記載のデバイスの組。
【請求項１７】
上記くぼみ（２２）が、互いに角度αをなして配置された第１及び第２の平面壁部を有しており、少なくとも４つのデバイス（１０）が、ユニットロードに取り付けられたデバイス（１０）の少なくとも４つのくぼみの該第１の平面壁部が、それらが一平面に位置するように方向付けられるように、ユニットロード又は少なくともユニットロードの一部に対して適合させられることを特徴とする請求項１６記載のデバイスの組。
【請求項１８】
上記αが直角であることを特徴とする請求項１７記載のデバイスの組。
【請求項１９】
ユニットロードを備えた請求項１〜１８のいずれか一に記載のデバイスの組。
【請求項２０】
上記ユニットロードが、その各端部でフランジを備えたパイプ部品であることを特徴とする請求項１９記載のユニットロードを備えたデバイスの組。
【請求項２１】
ユニットロードの運搬の間にユニットロードを介して互いに接続され、また、それらの対向する端部でユニットロード用の保持デバイスを備えたトーイング手段及びトレイラを有する、請求項１〜２０のいずれか一に記載のデバイスの組を備えた、ユニットロード用の運搬車両であり、
上記保持デバイスが、コンテナロック（コンテナブラケット）（４２）を有し、該コンテナブラケット（４２）の配置が、ユニットロードに取り付けられるデバイス（１０）のコンテナコーナがコンテナブラケット（４２）により掴まえられ得るように、デバイス（１０）が適合させられ取り付けられるユニットロード又は該ユニットロードの一部に対して適合させられることを特徴とする運搬車両。
【請求項２２】
上記コンテナブラケット（４２）が、入子式に調整可能な保持デバイス（４０）の一部に取り付けられ、また、該コンテナブラケット（４２）の高さ及び／又は横方向の位置が、該保持デバイスの一部とともに設定され得ることを特徴とする請求項２１記載の運搬車両。
【請求項２３】
上記保持デバイス（４０）が、垂直に配置された２本のスパー（２）、及び、垂直面に配置される水平に配置された２本の横材（４）を有し、また、下側の横材の各端部および２本のスパーの上側の端部にて、上記保持デバイスの一部が、入子式に出入り可能であり、保持デバイスの一部は、その端部にてコンテナブラケット（４２）を有していることを特徴とする請求項２２記載の運搬車両。
【請求項２４】
トーイング手段（１０２）及びトレイラ（１０４）が、対向する端部で適合するコネクタ素子（１１０，１１２，１１４，１１６，１１８，１２０）を有しており、該コネクタ素子は、トーイング手段（１０２）及びトレイラ（１０４）が、それらの間におけるユニットロードなしで接続され駆動させられ得るように、互いに配置されていることを特徴とする請求項２１〜２３のいずれか一に記載の運搬車両。
【請求項２５】
上記コネクタ素子が、移動方向に配置される水平なスパー（１２０，１１２）を有しており、該スパーが、トーイング手段（１０２）及びトレイラ（１０４）を接続するために、上下に位置していることを特徴とする請求項２４記載の運搬車両。
【請求項２６】
少なくとも保持デバイス（１０６，１０８，１１０，１１２）の一部が、部分的に、コネクタ素子を形成することを特徴とする請求項２４又は２５に記載の運搬車両。
【請求項２７】
上記保持デバイス（１０６，１０８）がコンテナブラケット（１１３）を有していることを特徴とする請求項２６記載の運搬車両。
【請求項２８】
上記コネクタ素子が、上記接続をロックするためのロック素子（１１６）を有していることを特徴とする請求項２４〜２７のいずれか一に記載の運搬車両。
【請求項２９】
上記コネクタ素子が、上記トーイング手段（１０２）及びトレイラ（１０４）を互いに固定するための張力生成素子（１１８）を有していることを特徴とする請求項２８記載の運搬車両。
【請求項３０】
請求項１４又は１５に記載のアダプタ部。
【請求項３１】
請求項２１〜２３のいずれか一に記載の保持デバイス。
【発明の詳細な説明】
【０００１】
本発明は、ユニットロードを操作する間に、それを掴むためのデバイスに関し、該デバイスは、ユニットロードにデバイスを取り付ける取付け部と、操作手段を掴むグリッピング部とを有している。
【０００２】
品物の運搬には、便宜を図り、規格化されたコンテナが用いられてきた。これらのコンテナは、それらのコーナにおいて、所定量だけコンテナの側部を越えて突出するコンテナコーナ又はツイストブロック（ｔｗｉｓｔ ｂｌｏｃｋ）と呼ばれる機能部を有している。上記コンテナコーナは、規格化されたホルダがそれと係合し、それに対してロックされ得るように設計される。
【０００３】
大きな嵩の品物（以下では、ユニットロードと呼ぶ）は、それらが例えばその寸法及び／又は重量のためコンテナに詰められる運搬に適していない場合に、操作若しくは運搬の間の実質的な問題をもたらすものである。かかるユニットロードは、例えば遠隔通信施設又は風力タービン用のサポート手段として搬送されなければならないスチールタワー部材であってもよい。このようなスチールタワー部材は、通常、長さ１１−２５メートル，直径４メートルまで，重さ２０−７０トンである。これらの寸法は、それを越える場合もある。
【０００４】
以下では、本発明および従来技術における問題は、スチールタワー部材に関して述べられる。しかしながら、本発明は、かかる適用に限定されるものでなく、本質的には、いかなる種類のユニットロードにも関係するものであることに注意すべきである。
【０００５】
よく知られるように、スチールタワー部材は、製造で始まり、建設現場への運搬を通じて建築物の組立へ続く、一連の操作及び運搬の作業を提供するものである。
【０００６】
ほぼ環状の円筒タワー部材の両端部には、通常、組立時に別個の部材が接続されるフランジが設けられている。これらフランジは、また、ほとんどの場合に、その部材に、操作又は運搬車両を取り付けるために用いられる。
【０００７】
かかる手段は、例えば、回転式のアダプタであってもよい。これによれば、外壁部におけるペイント仕上げ作業を実施するために、長手方向の軸に沿って水平に位置合わせされた部材が、その長手軸まわりに回転可能となる。これらの回転式アダプタは、フランジに対してネジで固定される。
【０００８】
この方法により、例えば、脚部がフランジにネジで固定されてもよい。これによれば、上記部材が、地面から所定の間隔を隔てて保持され得る。脚部が取り付けられ、上記部材が設置されると、回転式のアダプタが取り除かれる。脚部は、上記部材が後にトラックにより運搬される場合に、それらが適合し、修理される必要がないように、位置決めされる。
【０００９】
上記部材が小さければ、それらは、ロウローダ（ｌｏｗ ｌｏａｄｅｒ）上のトラックにより運搬され得る。しかし、より大きな部材の場合には、所謂ボイラーブリッジ（ｂｏｉｌｅｒ ｂｒｉｄｇｅ）が必要となる。かかるボイラーブリッジは、それに取り付けられたロウローダ及びリヤトレイラ（ｒｅａｒ ｔｒａｉｌｅｒ）を備えた牽引ユニットを有するものである。ロウローダ及びトレイラはスパーにより互いに接続され、また、両者の間隔は、所定の制限値内に調整可能である。部材がボイラーブリッジを用いて運搬される場合には、他方で、異なる脚部が、ボイラーブリッジのスパー上の所定位置にそれを保持するために、その部材に対してネジで固定される必要がある。
【００１０】
上記部材が建設現場に到着するとすぐに、持ち上げブラケットが、組立のために直立式にセットされるように、部材のフランジにネジ締結される。上記部材が、持ち上げブラケットを用いて上昇させられるとすぐに、脚部が、フランジから取り除かれ、また、部材が、タワーへ適合させられ得る。
【００１１】
運搬ルートの一部が海路であれば、上記部材に取り付けられる脚部は、船のデッキに溶接され得る。上記部材が、ボイラーブリッジを用いてポートへ運搬されたのであれば、脚部は、再び変更されなければならない。運搬に際して部材を固定するには、脚部の溶接が簡単で且つ効果的であるが、これには、積荷が解放された場合に、特に、脚部が船舶のデッキから離れず、単に、部材のフランジからネジが外れる場合に、部材が損傷する危険性が伴う。その上、失った若しくは破損した脚部は、ポートから建設現場へトラックで部材を運搬するために、新しいものと取り替えられる必要がある。
【００１２】
船舶のデッキに脚部を溶接する代わりとして、上記部材が、例えば部材に設けられた孔部を通じて又は部材の外側に装着され固く締め付けられた鎖によって固定される。重い部材を確実に保持するには、鎖が固く結び付けられる必要がある。このことは、例えば、部材が変形したり、そのコーティングが破損する原因となる。もしボイラーブリッジが目的のポートにて使用される準備が整えば、再び脚部を変える必要がある。
【００１３】
２つの部品で一体的に構成された部材からなる周知のデバイスがある。ここで、一方の部品は、ユニットロードにデバイスを固定するためのものであり、また、他方の部品は、操作（例えば持ち上げ又は設置）の間における動作用である。
【００１４】
前述したデバイスでは、製造プロセスにおける部材の操作の間における、また、運搬の間における、様々な運送に関した、頻繁の、時間のかかる、また、コストのかかる修理が、深刻な欠点である。各デバイスは、実質的に、ある作業用に、また、ある機能用に設計される。
【００１５】
陸上での運搬の変形体は、トランスポーテーションクロス（ｔｒａｎｓｐｏｒｔａｔｉｏｎ ｃｒｏｓｓ）である。後者は、牽引ユニット（ｔｒａｃｔｉｏｎ ｕｎｉｔ）及びトレイラ（ｔｒａｉｌｅｒ）を有している。２つの手段間の連結は、運搬されるべきアイテム（例えばタワー部材）により提供される。部材のフランジにネジ締結され得る保持デバイスは、牽引ユニット及びトレイラ上に配置される。
【００１６】
上記牽引ユニットとトレイラとの間の部材の組立及び分解には、各場合にて、不利な２．５〜３時間が必要とされる。この間には、部材が、クレーンにより保持されなければならない。そのため、必要とされるクレーン及び人材の両方が、非常に長い期間、妨げられる。
【００１７】
そこで、本発明の目的は、ユニットロード用に、特に、かかるユニットロードの製作，運搬及び組立のための、広く配置可能な操作手段を提供する。
【００１８】
上記の目的は、請求項１に記載されるデバイスを用いた、クレーム７に記載される１組のデバイスを用いた、若しくは、クレーム２１に準じた運搬車両を用いた本発明により達成される。本発明の好適な実施例は、従属クレームに記載されている。
【００１９】
本発明によれば、ユニットロード用のグリッピングデバイスのグリッピング部は、コンテナコーナ、つまり、標準的なコンテナブラケットの形で具体化されている。コンテナコーナが、コンテナを持ち上げたり操作するための、規格化されたインターフェースであり、また、全ての軍の実質的な部分や世界規模での市場の実際業務には、コンテナがもたらされれば、関連した必要な操作及び運搬設備は、アプライアンスと適合させられるユニットロードを操作し運搬するために、世界規模で有用である。
【００２０】
本発明の好適な実施の形態では、本発明に係るグリッピングデバイスの取付け部が、デバイスが取り付けられるユニットロードに適合するように設計された取付け機能部を有している。例えば、もしユニットロードがフランジにて孔部を有していれば、取付け部もまた、フランジのそれらに一致する間隔で配置された貫通孔の形をした、取付け機能部を有している。これにより、デバイスを迅速にかつ簡単にユニットロードへ固定することができる。
【００２１】
また別の実施の形態では、本発明のグリッピングデバイスが、プレート状の素子を備えたくぼみ（ｉｄｅｎｔａｔｉｏｎ）を有している。これらは好ましくは互いに直角をなして（また、好ましくはグリッピングデバイスのプレート状のベース部材に対して垂直に）配置されており、これによって、くぼみが上記プレート状の素子により２つの側に制限され、くぼみとして形状付けられる。ボイラーブリッジを用いてユニットロードを運搬するために、ユニットロードは、プレートに適合させられたこれらのくぼみによって、ボイラーブリッジのスパー上に支持され得る。このとき、くぼみがスパーの形状に一致し、さもなくば、パラレルをなし、それらを支える。例えば、長方形の断面を備えたスパーの場合、プレートは、その一方がスパー上で水平になるように位置し、ユニットロードを横方向に固定するために、他方がスパーの反対側を横切るように位置する。
【００２２】
本発明の好適な構成によれば、グリッピング部は、取付け機能部から所定の間隔で隔てられ、また、取付けデバイスの領域では、例えば本発明によるグリッピングデバイスが適合させられた場合に、付加的な横材がユニットロードの境界内に取り付けられ得る少なくとも１つの付加的な取付け機能部が設けられている。
【００２３】
本発明によるグリッピングデバイスには、小環（ｅｙｅｓ）がまた設けられる。それら小環には、例えば、ユニットロードをカバーするために、防水シートが取り付けられ得る。
【００２４】
本発明によれば、ユニットロードを受けるアダプタがまた設けられる。このアダプタは、支持手段を有しており、この支持手段には、本発明によるアプライアンスのグリッピング部（コンテナコーナの形をとる）に接続され得るコネクタ素子が配置されている。これにより、非常に重いユニットロードを扱う場合には、支持手段を介して、大きい方の面上で重量を分散させることができる。支持手段は、例えば、水平の支持面を有している。
【００２５】
好適な実施の形態では、アダプタが、好ましくは直線状の梁の形をした支持手段上で互いに平衡に配置される４つのコネクタ素子を有している。それらの少なくとも２つは、互いに所定の間隔を有している。本発明による上記コネクタ素子間の間隔が、規格化されたコンテナの寸法のそれに等しい場合、２つの一定の間隔で隔てられたコネクタ素子により、アダプタは、例えばコンテナトラック上で若しくは船舶の運搬デッキ上で見られるものなどの、規格化されたホルダに取り付けられることが可能となる。
【００２６】
残りのコネクタ素子は、本発明によるグリッピングデバイスによって、規格化されたホルダ間の間隔に対して異なる間隔をもって、ユニットロードが固定されることを可能とする間隔に設定され得る若しくは調整され得る。外側のコネクタ素子が標準の間隔を有する場合、内側のコネクタ素子は、それらの間に、標準の間隔よりも小さな間隔をもって、グリッピングデバイスでユニットロードを保持することができる。もし内側のコネクタ素子が、それらの間に標準の間隔を有していれば、外側のコネクタ素子が、ユニットロードを保持する。外側のコネクタ素子は、それらの間に、標準の間隔よりも大きな間隔を有するデバイスと適合させられる。
【００２７】
その代わりとして、全てのコネクタ素子は、アダプタが所定のユニットロードすなわち所定の寸法を備えたユニットロードに適合するように、それらの間に所定の間隔を有することができ、また、アダプテーションが必要でなく、直接に利用可能である。
【００２８】
本発明は、また、トーイング手段及びと例らを備えた運搬車両に関する。ここでは、トーイング手段及びトレイラは、ユニットロードにより運搬の間に接続され、トーイング手段及びトレイラは、互いに対向する端部で、ユニットロードを保持するためのデバイスを有している。
【００２９】
上記運搬車両は、好ましくは、保持デバイスが、所定のコネクタ素子、所謂コンテナブラケットを有するように構成される。ここで、ユニットロードは、該ユニットロードに取り付けられる本発明によるグリッピングデバイスを用いて、運搬車両に迅速にかつ容易に固定され得る。
【００３０】
上記運搬車両は、コンテナブラケット間に、固定された所定間隔を有することができる、若しくは、保持デバイスは、それらの高さ及び／又は幅において調整可能である。コンテナブラケットは、保持デバイスの調整部分に取り付けられる。保持デバイスは、特に、それらが簡単に運搬されるべきアイテムの寸法に対して調整され得るように、好ましくは、油圧手段により調整される。トーイング手段及びトレイラを有するユニットロード用の運搬車両は、好ましくは、互いに対向するトーイング手段及びトレイラの端部にて、適合するコネクタ素子を有している。上記適合するコネクタ素子は、トーイング手段及びトレイラが互いに直接的に接続されるように、互いに関係して配置される。その結果、もし運搬車両がユニットロードで荷重を受けなければ（また、トーイング手段及びトレイラを繋げるためのユニットロードがなければ）、トーイング手段及びトレイラは、本発明によるコネクタ素子により、最終的に存在するものが駆動可能であるように、接続される。このようにして、最短長さを備えた駆動可能な存在物が、本発明に従って有効に形成され得る。その存在物は、トーイング手段とトレイラとの間の実質的に堅固な連結のため、簡単に、単一の手段のように作動する。つまり、従来技術の場合のような、タウバー（ｔｏｗ−ｂａｒ）により接続されるトレイラを備えた牽引ユニットのように作動することを困難としない。
【００３１】
上記コネクタ素子は、移動方向において水平に方向付けられたスパーを有することができる。スパーは、例えば水平なフランジの面をもちつつ、トーイング手段及びトレイラを接続するために、上下に位置する。接続を固定するために、コネクタ素子は、他方の側で、動き嵌めで、適合孔部と係合するボルトを有してもよい。本発明による、適合する嵌めを伴うコネクタ素子は、それらが特に固定されて接続されるので、好適である。更に、牽引ユニットとトレイラとの間の実質的に堅固な接続は、好ましくは、例えばラグ（ｌｕｇｓ）に対してトーイング手段とトレイラとの間で取付け可能である簡単な歯止め式固定手段又はブレーシングベルト（ｂｒａｃｉｎｇ ｂｅｌｔ）若しくはネジ込みテンションジャック等のクランプ部材によって実現される。該クランプ部材は、また、インターロッキング接続がルースニング（ｌｏｏｓｅｎｉｎｇ）に対して確保されるように、牽引ユニット及びトレイラを固定することができる。
【００３２】
図１ａは、本発明の第１の実施の形態に係るグリッピング器具（ａｐｐｌｉａｎｃｅ）１０を３次元的に示す斜視図である。デバイス１０は、取付け部１２と、それに取り付けられたグリッピング部１４とを有している。取付け部１２は、グリッピングデバイス１０が、好ましくは、ネジ締結により、ユニットロード１６（この図では示さず）に対して所定位置に固定され得るように、取付け機能部としての孔部２０を有している。
【００３３】
ここで、本質的な特徴は、空間的な方向性であり、ユニットロードが、グリッピングデバイスの１組とともに、脚部として地面に設置される場合に、このことが、例えばユニットロード１６（この図では示さず）と基準ベースとの間の間隔をもたらすという点で、特に、取付け機能部２０とグリッピング部１４との間の間隔１８である。
【００３４】
本発明は、また、その長所とともに、その両端に環状のフランジを備えた鉄塔（ｓｔｅｅｌ ｔｏｗｅｒ）の環状円筒部１６の例に関して、各図を参照しながら説明されるため、例えば、（孔部を介した）上記フランジに適合する取付け機能部２０が、湾曲した中央線とともに、所定のパターン状に構成されている。孔部間の間隔が同一である場合に、本発明によるデバイス（１０）は、部品１６のフランジに固定されてもよい。
【００３５】
本発明によれば、グリッピング部１４が、所謂コンテナコーナである。該コンテナコーナは、支持プレート１５に固定されている。グリッピングデバイスのいかなる要素も、コンテナコーナーを越えて突出しないという事実によって、グリッピングデバイスは、コンテナガントリ（ｇａｎｔｒｉｅｓ）又はコンテナスプレッダ（ｃｏｎｔａｉｎｅｒ ｓｐｒｅａｄｅｒｓ）等の適切な持ち上げ（ｈｏｉｓｔｉｎｇ）手段用の持ち上げポイントとして、また、ユニットロードを設置するための脚部として、作用することができる。
【００３６】
コンテナ用に規格化された固定手段を用いる可能性から、例えば、船体のデッキに脚部を溶接する必要がなくなる。船による運搬の間にユニットロードを固定する方法として、ユニットロードを鎖で縛り付けることが不要になる。
【００３７】
２つのプレート２４が、取付け部１２に対して、くぼみ２２をなすように取り付けられている。上記プレートは、互いに角度αをなしており、くぼみ２２の側部を画定している。各プレートは、取付け部１２の面に対して垂直をなしている。このように、本発明によるデバイスは、ユニットロード１６を、ボイラーブリッジ（ｂｏｉｌｅｒ ｂｒｉｄｇｅ）上に設置するための、また、ボイラーブリッジの支持スパーを支えるためのセットとして、それらの形状に合致することにより、適合させられることが可能である。
【００３８】
図１ｂ−ｅは、グリッピングデバイス１０の他の実施の形態を示している。ここで、図１ａを参照して述べられた特徴は、例えば、異なって寸法設定された、及び／又は、運搬のロード（不図示）に適合することにより、互いに異なって調和させられ、位置決めさせられる。図１ｃは、図１ｂの側面図であり、図１ｅは、図１ｄの側面図である。したがって、図１ｂ及び１ｄは、それぞれ、正面図である。
【００３９】
図２は、本発明の更に別の実施の形態を示している。図１ａに示されるデバイスとの目立った違いは、くぼみ２２が形成されていないという点である（既に図１ｂ−ｃにおける場合でもそうであったが）。更に、取付け部とグリッピング部との間の部分が、短くなるように構成されている。したがって、この実施の形態は、ユニットロードを地面に設置する脚部としては使用不可である。もし、グリッピングデバイスの固定位置が同じで、かつ、ユニットロードの直径が同じであれば、ユニットロードの外側の輪郭は、２つのグリッピングデバイスのグリッピング部の間の接続線を突き出ることとなる。しかしながら、デバイスは、それがユニットロードの上側縁部に対して取り付けられた場合に、ユニットロード用の持ち上げポイントとして容易に用いられ得る。
【００４０】
図１及び図２に示されるデバイス１０は、それぞれ、第１の部分１２に若しくはその内部に、付加的な取付け機能部１９を有している。上記取付け機能部は、ここでは、貫通孔として構成されるが、例えば強化ストラット部材（ｓｔｉｆｆｅｎｉｎｇ ｓｔｒｕｔｓ）などの他の固定部材が取り付けられてもよい（図４参照）。
【００４１】
図３は、本発明によるアダプタ３０を示している。このアダプタ３０は、支持体３２に取り付けられた外側のコネクタ素子３４及び内側のコネクタ素子３５として、計４つのコンテナコーナを有している。これらの外側及び内側のコネクタ素子３４，３５は、支持体３２上で固定位置をとる。２つの外側コンテナコーナ３４間の間隔３６は、中心から中心まで、標準的な寸法２２６０ｍｍに等しい。２つの内側の素子３５間の間隔は、それより小さい。このことは、本発明によるグリッピングデバイス１０が、ユニットロードがより小さい寸法であることから、標準的な寸法２２６０ｍｍよりも小さい間隔をなして取り付けられたユニットロードが、それでもなお、コンテナの操作及び運搬用の規格化された機能（ｆａｃｉｌｉｔｉｅｓ）を用いたアダプタ６０によって、操作され、運搬され得ることを意味している。
【００４２】
その代わりとして、より長い支持体３２の場合、内側のコネクタ素子３５は、標準的な間隔２２６０ｍｍを有することができ、また、外側のコネクタ素子３４は、本発明のグリッピングデバイス１０が、この標準的な寸法を越える位置で適合させられることを可能とするだけの、ユニットロードを受けることができる。
【００４３】
図４は、本発明によるデバイス１０及びアダプタ３０の適用例を示している。ユニットロード１６として示されるスチールタワーの部分は、グリッピングデバイス１０の１組に適合させられ、他方の上に一方が積み重ねられる。これらの相対的に「小さい」直径によって、デバイス１０のコンテナコーナ１４の中心間に、２２６０ｍｍの間隔をなして、デバイス１０と適合することは不可能である。デバイス１０は、それらの中心間に、より小さい間隔をなして取り付けられる。
【００４４】
このより小さい間隔にもかかわらず、規格化された機能部及び運搬車両の有効利用を可能とするために、アダプタ３０が、下側部分に付加的に設けられる。上記アダプタは、内側のコネクタ素子３５が、下側部分に取り付けられるデバイス／アプライアンス（ｄｅｖｉｃｅ／ａｐｐｌｉａｎｃｅ）１０と同じ間隔を有するように、適合させられる。外側のコネクタ素子３４は、標準的な間隔を有し、その結果、既存の機能部及び運搬車両の使用を可能とする。
【００４５】
一方側における、下側部分に取り付けられたグリッピングデバイス１０の組のコンテナコーナ１４と、他方側におけるアダプタとの間における、また、下側部分のコンテナコーナと上側部分のコンテナコーナとの間における、堅固な機械的接続を提供するために、規格化されたコネクタ素子（不図示）が、コンテナコーナを直接互いに接続すべく、従来のコンテナに用いられるもののように用いられる。下側部分においては、別個のグリッピングデバイス１０の付加的な対角線上で相対する取付け機能部１９間に、下側部分が、上側部分の負荷の下で変形することを防止する支持体が取り付けられている。
【００４６】
図５は、本発明による運搬車両を示している。その運搬車両は、トーイング手段（ｔｏｗｉｎｇ ｖｅｈｉｃｌｅ）４４，ロウローダ（ｌｏｗ ｌｏａｄｅｒ）４５及びトレイラ４２を有している。運搬の間にユニットロード１６を保持するための保持デバイス４０が、ロウローダ４５及びトレイラ４２の対向する端部に配置されている。その結果、ロウローダ４５とトレイラ４２との間では、ユニットロード１６を介した接続がなされている。
【００４７】
運搬ロードのない運行のために、ロウローダ４５及びトレイラ４２は、ロウローダ４５及びトレイラ４２（図５の底部）における適合継手（ｍａｔｃｈｉｎｇ ｃｏｕｐｌｉｎｇｓ）と係合する牽引バー（ｔｏｗ−ｂａｒ）４８により接続されている。
【００４８】
図９の右側には、トーイング手段１０２を有する代わりの運搬車両のシャシーの水平支持スパーが示され、また、図９の左側には、連結されるトレイラ１０４のシャシーの水平支持スパーが示される。上記支持スパーは、各々、ユニットロード（不図示）用の保持デバイス１０６，１０８にて端部をなしている。それらの下側の端部では、保持デバイス１０６，１０８は、他方へ向かって水平に突出しまた移動方向において対向するスパー１１０，１１２を有している。スパー１１０，１１２は、第１に、トーイング手段１０２及びトレイラ１０４がユニットロードで負荷を課せられている場合に、ユニットロード（不図示）に寄与するために、（保持デバイス１０６，１０８の上側端部におけるコンテナブラケット１１３と同様に）、また、第２に、図示される負荷が課せられない状態で、トーイング手段１０２とトレイラ１０４との間における直接的な接続を確立するために用いられる。スパー１１０，１１２は、それぞれ、相互に対応するコネクタ素子として、保持デバイス１０６及び１０８に対して配置され、それらは、直接に接続された場合に上下に位置し、上下に一致するように存在する水平なフランジ面１１４と接続される。
【００４９】
形状が一致し、合同の接続構造をなすスパー１１０，１１２は、スパー１１０のフランジ面１１４上におけるボルト１１６を有する。ボルト１１６は、図示される接続位置にて、スパー１１２のフランジ面１１４における孔部１１６と係合する。形状の整合により得られたこの接続は、保持デバイス１０６，１０８における小環（ｅｙｅｓ）１２０の間に張られた２つの張力生成素子１１８により固定されている。これにより、トーイング手段１０２及びトレイラ１０４は、互いに堅固に固定される。
【００５０】
図６では、図５の保持デバイス４０が、２本の鉛直支柱２及び２本の水平横材４を備えた鉛直に配置されるベースフレームの形で、より明確に記載されている。下側の横材４の一方の側で、油圧シリンダ（ｈｙｄｒａｕｌｉｃ ｃｙｌｉｎｄｅｒｓ）８を備えた鉛直アーム５が、横材４の方向に（水平方向及び横方向に）入子式に伸縮可能である。支柱２には、同様に、油圧シリンダ８の助けで支柱２の長手方向に（鉛直方向に）伸縮可能である支柱延長部３が設けられている。支柱延長部３上には、コンテナブラケット７、すなわち、コンテナコーナとの迅速な係合用に規格化された機能部、が取り付けられた外側端部にて、横梁６が設けられている。付加的なコンテナブラケット７が、水平方向及び横方に延長可能な延長アーム５の端部にて配置されている。上記延長アームの位置は、特に図７においてよく示されている。
【００５１】
図７から、上記延長アーム５の外側部分が、運搬車両上の延長アームに対向する各保持デバイス４０の方向における各延長アーム５に対して直角をなすことが明らかである。コンテナブラケット７は、延長アーム５の角をなす部分に配置されており、ここでは、下側の油圧シリンダ８を操作することにより、下側のコンテナブラケット７を横方向に変位させることができる。これにより、本発明による保持デバイス４０は、デバイス１０とユニットロード１６との間の幅及び／又は間隔に対して調整され得る。
【００５２】
図８の側面図もまた、ロウローダ４５及びトレイラ４２上の保持デバイス４０を示している。この図からは、油圧シリンダ８を操作することにより、支柱３の延長、すなわち、横梁６上に配置される上側のコンテナブラケット７の高さを変化させることが可能となる。
【００５３】
横梁６は、また、横方向に隣接する複数のコンテナブラケット７を有してもよく、あるいは、油圧（エア圧）の高さ調整に加え、上側のコンテナブラケットの水平方向の位置が運搬ロードに対して調整され得るように、この方向における入子式の調整を可能とするものであってもよい。
【図面の簡単な説明】
【図１ａ】本発明によるグリッピングデバイスの斜視図である。
【図１ｂ】本発明の他の形態に係るグリッピングデバイスの正面図である。
【図１ｃ】本発明の他の形態に係るグリッピングデバイスの側面図である。
【図１ｄ】本発明の更に他の形態に係るグリッピングデバイスの正面図である。
【図１ｅ】本発明の更に他の形態にグリッピングデバイスの側面図である。
【図２】本発明の別の形態に係るグリッピングデバイスの斜視図である。
【図３】本発明によるアダプタの平面図である。
【図４】本発明のアダプタが運搬ロードとして２つのタワー部材に取り付けられた、本発明によるグリッピングデバイス一式の正面図である
【図５】運搬ロードがある場合、また、ない場合における、本発明による運搬車両の側面図である。
【図６】本発明により規定される運搬車両のグリッピングデバイスの背面図である。
【図７】本発明により規定される運搬車両のグリッピングデバイスの、図６中のＡ−Ａ線に沿った切欠き平面図である。
【図８】本発明により規定される運搬車両のグリッピングデバイスの側面図である。
【図９】本発明による接続部がその間にある、トーイング手段およびユニットロード用のトレイラのグリッピングデバイスの側面図である。
【国際公開パンフレット】
2004502600.tif 000003
2004502600.tif 000004
2004502600.tif 000005
2004502600.tif 000006
2004502600.tif 000007
2004502600.tif 000008
2004502600.tif 000009
2004502600.tif 000010
2004502600.tif 000011
2004502600.tif 000012
2004502600.tif 000013
2004502600.tif 000014
2004502600.tif 000015
2004502600.tif 000016
2004502600.tif 000017
2004502600.tif 000018
2004502600.tif 000019
2004502600.tif 000020
2004502600.tif 000021
2004502600.tif 000022
2004502600.tif 000023
2004502600.tif 000024
2004502600.tif 000025
2004502600.tif 000026
2004502600.tif 000027
2004502600.tif 000028
2004502600.tif 000029
2004502600.tif 000030
2004502600.tif 000031
2004502600.tif 000032
2004502600.tif 000033
2004502600.tif 000034
【国際公開パンフレット（コレクトバージョン）】
2004502600.tif 000035
2004502600.tif 000036
【手続補正書】
【提出日】平成14年6月18日(2002.6.18)
【手続補正１】
【補正対象書類名】明細書
【補正対象項目名】特許請求の範囲
【補正方法】変更
【補正の内容】
【特許請求の範囲】
【請求項１】
ユニットロードを掴むためのデバイスであり、該デバイスを該ユニットロードに取り付けるための取付け部と、保持デバイスにより掴まえられるためのグリッピング部とを有するデバイスにおいて、
上記グリッピング部（１４）が、コンテナコーナ形式に構成され、上記取付け部（１２）が特定のユニットロード（１６）の形状に適合させられ、また、該取付け部（１２）が、該ユニットロード上の特定のコネクタデバイスに適合させられる少なくとも１つの取付け機能部（２０）を有していることを特徴とするデバイス。
【請求項２】
上記取付け機能部（２０）が、少なくとも２つの孔部を有し、直径及び間隔を有する孔部が、上記ユニットロード上の特定のコネクタデバイスに適合させられることを特徴とする請求項１記載のデバイス。
【請求項３】
上記取付け機能部における孔部のパターンが、弧状，環状，つまり円の一部として形状付けられていることを特徴とする請求項１又は２に記載のデバイス。
【請求項４】
上記取付け部（１２）の領域にて、小環（２６）が設けられていることを特徴とする請求項１〜３のいずれか一に記載のデバイス。
【請求項５】
上記デバイス（１０）が、ユニットロード若しくは少なくともユニットロードの一部に対して適合させられ、また、それに取り付けられること、及び、上記ユニットロードに取り付けられるデバイス（１０）のうちの少なくとも２つのコンテナコーナが、それらの縁部が互いに平行になるべく方向付けられることを特徴とする請求項１〜４のいずれか一に記載のユニットロード。
【請求項６】
デバイス（１０）のうちの少なくとも３つが、ユニットロード若しくは少なくともユニットロードの一部に対して適合させられ、それに取り付けられること、及び、上記ユニットロードに取り付けられるデバイス（１０）のうちの少なくとも３つのコンテナコーナが、それらが一平面に位置するべく方向付けられることを特徴とする請求項５記載のユニットロード。
【請求項７】
少なくとも３つのデバイス（１０）が、上記ユニットロードが上記平面を貫通しないように、ユニットロード又は少なくともユニッロードの一部に対して適合させられ取り付けられることを特徴とする請求項５又は６記載のユニットロード。
【請求項８】
少なくとも３つのデバイス（１０）が、上記ユニットロードの重心が、一平面に位置するコンテナコーナにより規定される平面内にあるように、ユニットロード又は少なくともユニッロードの一部に対して適合させられ取り付けられることを特徴とする請求項５〜７のいずれか一に記載のユニットロード。
【請求項９】
上記デバイス（１０）のうちの少なくとも２つがストラット部材（３８）により相互接続されていることを特徴とする請求項５〜８のいずれか一に記載のユニットロード。
【請求項１０】
上記ストラット部材（３８）が、付加的な取付け機能部（１９）によって、デバイス（１０）に対して着脱可能に接続されることを特徴とする請求項９記載のユニットロード。
【請求項１１】
上記デバイス（１０）のうちの少なくとも２つが、ユニットロード若しくは少なくともユニットロードの一部に対して適合させられ取り付けられること、及び、該ユニットロードに取り付けられるデバイス（１０）のコンテナコーナの位置が、コンテナ操作手段用に規格化された寸法のパターンに対応することを特徴とする請求項１〜１０のいずれか一に記載のユニットロード。
【請求項１２】
２つのコンテナコーナとともにコンテナコーナにおけるグリップと適合させられ、それらの互いに対する位置がコンテナ操作手段用に規格化された寸法のパターンに対応する少なくとも２つのコネクタ素子（３４）が配置される支持台（３２）を備えた、少なくとも１つの付加的なアダプタ部により特徴付けられ、
また、上記２つのコネクタ素子の配置が、それに対して適合させられ取り付けられるデバイス（１０）のうちの少なくとも２つを含む、ユニットロード又は少なくともユニットロードの一部に対して適合させられる、ユニットロードに取り付けられるデバイス（１０）のうちのコンテナコーナが、２つのコネクタ素子により掴まれ得ることを特徴とする請求項１〜１３のいずれか一に記載のユニットロード。
【請求項１３】
上記コネクタ素子（３４）の少なくとも１つが、上記支持手段（３２）に対して取外し可能であることを特徴とする請求項１２記載のユニットロード。
【請求項１４】
上記デバイス（１０）のうちの少なくとも４つが、それぞれ、入り込んだくぼみ（２２）を有し、また、上記デバイス（１０）のうちの少なくとも４つが、上記ユニットロードに取り付けられるデバイス（１０）のくぼみが、該くぼみが互いに平行な２つの円筒形の自由空間を（アンダーカッティングなしに）支えるべく方向付けられるように、ユニットロード又は少なくともユニットロードの一部に対して適合させられることを特徴とする請求項５〜１３のいずれか一に記載のユニットロード。
【請求項１５】
上記くぼみ（２２）が、互いに角度αをなして配置された第１及び第２の平面壁部を有しており、少なくとも４つのデバイス（１０）が、ユニットロードに取り付けられたデバイス（１０）の少なくとも４つのくぼみの該第１の平面壁部が、それらが一平面に位置するように方向付けられるように、ユニットロード又は少なくともユニットロードの一部に対して適合させられ取り付けられることを特徴とする請求項１４記載のユニットロード。
【請求項１６】
上記αが直角であることを特徴とする請求項１５記載のユニットロード。
【請求項１７】
上記ユニットロードが、その各端部でフランジを備えたパイプ部品であることを特徴とする請求項５〜１６のいずれか一に記載のユニットロード。
【請求項１８】
ユニットロードの運搬の間にユニットロードを介して互いに接続され、それらの対向する端部でユニットロード用の保持デバイスを備えたトーイング手段及びトレイラを有し、請求項１〜３のいずれか一に記載の少なくとも２つのデバイスが、一方ではユニットロードとトーイング手段との間の、また他方ではユニットロードとトレイラとの間の接続領域にて、ユニットロードに取り付けられる、ユニットロード用の運搬車両であり、
上記トーイング手段及びトレイラの保持デバイスが、コンテナロック（コンテナブラケット）（４２）を有し、該コンテナブラケット（４２）の配置が、ユニットロードに取り付けられるデバイス（１０）のコンテナコーナがコンテナブラケット（４２）により掴まえられ得るように、デバイス（１０）が適合させられ取り付けられるユニットロード又は該ユニットロードの一部に対して適合させられることを特徴とする運搬車両。
【請求項１９】
上記コンテナブラケット（４２）が、入子式に調整可能な保持デバイス（４０）の一部に取り付けられ、また、該コンテナブラケット（４２）の高さ及び／又は横方向の位置が、該保持デバイスの一部とともに設定され得ることを特徴とする請求項１８記載の運搬車両。
【請求項２０】
上記保持デバイス（４０）が、垂直に配置された２本のスパー（２）、及び、垂直面に配置される水平に配置された２本の横材（４）を有し、また、下側の横材の各端部および２本のスパーの上側の端部にて、上記保持デバイスの一部が、入子式に出入り可能であり、保持デバイスの一部は、その端部にてコンテナブラケット（４２）を有していることを特徴とする請求項１９記載の運搬車両。
【請求項２１】
トーイング手段（１０２）及びトレイラ（１０４）が、対向する端部で適合するコネクタ素子（１１０，１１２，１１４，１１６，１１８，１２０）を有しており、該コネクタ素子は、トーイング手段（１０２）及びトレイラ（１０４）が、それらの間におけるユニットロードなしで接続され駆動させられ得るように、互いに配置されていることを特徴とする請求項１８〜２０のいずれか一に記載の運搬車両。
【請求項２２】
上記コネクタ素子が、移動方向に配置される水平なスパー（１２０，１１２）を有しており、該スパーが、トーイング手段（１０２）及びトレイラ（１０４）を接続すべく上下に位置して用いられることを特徴とする請求項２１記載の運搬車両。
【請求項２３】
少なくとも保持デバイス（１０６，１０８，１１０，１１２）の一部が、部分的に、コネクタ素子を形成することを特徴とする請求項１８〜２２のいずれか一に記載の運搬車両。
【請求項２４】
上記保持デバイス（１０６，１０８）がコンテナブラケット（１１３）を有していることを特徴とする請求項２３記載の運搬車両。
【請求項２５】
上記コネクタ素子が、上記接続をロックするためのロック素子（１１６）を有していることを特徴とする請求項２０〜２４のいずれか一に記載の運搬車両。
【請求項２６】
上記コネクタ素子が、上記トーイング手段（１０２）及びトレイラ（１０４）を互いに固定するための張力生成素子（１１８）を有していることを特徴とする請求項２５記載の運搬車両。
【手続補正書】
【提出日】平成14年8月12日(2002.8.12)
【手続補正１】
【補正対象書類名】明細書
【補正対象項目名】請求項１
【補正方法】変更
【補正の内容】
【請求項１】
ユニットロードを掴むためのデバイスであり、該デバイスを該ユニットロードに取り付けるための取付け部と、保持デバイスにより掴まえられるためのグリッピング部とを有するデバイスにおいて、
上記グリッピング部（１４）が、コンテナコーナ形式に構成され、上記取付け部（１２）が特定のユニットロード（１６）の形状に適合させられ、また、該取付け部（１２）が、該ユニットロード上の特定のコネクタデバイスに適合させられる少なくとも１つの取付け機能部（２０）を有し、また、上記取付け部（１２）が、少なくとも２つの孔部（２０）を有し、直径及び間隔を有する取付け部（１２）が、上記ユニットロード上の特定の孔部のパターンを有する特定のフランジに適合させられることを特徴とするデバイス。
【国際調査報告】
2004502600.tif 000037
2004502600.tif 000038
2004502600.tif 000039
2004502600.tif 000040
2004502600.tif 000041
2004502600.tif 000042